(57)【要約】【課題】より身体に対する追従性がよく、かつ、確実に固定することができる補強片を備えた腰部固定帯を提供する。【解決手段】補強片５を体幹軸Ｌ１方向に沿って断面Ｓ字状に形成し、さらに、中央から体幹軸Ｌ１方向の両端に向かって板厚が漸次減少するように形成するとともに、中央に補強用の補強リブ６をさらに設ける。【選択図】  図２
2004329260.tif 000002
【特許請求の範囲】
【請求項１】
人体の腰背部から腰腹部にかけて体幹軸を中心に巻回される帯状ベルトからなり、腰背部側に矩形状の補強片を備えている腰部固定帯において、
上記補強片は合成樹脂からなり、上記体幹軸に沿った断面形状が腰背面に沿ってＳ字状に形成されているとともに、その板厚が中央から上記体幹軸方向の両端に向かって漸次減少するように形成されていることを特徴とする腰部固定帯。
【請求項２】
上記補強片の背面側には、補強リブが突設されていることを特徴とする請求項１に記載の腰部固定帯。
【請求項３】
上記補強リブは、上記補強片の変曲点を中心とする位置に設けられている請求項２に記載の腰部固定帯。
【請求項４】
上記補強リブは、菱形の錐状に突設されている請求項２または３に記載の腰部固定帯。
【請求項５】
上記補強片には、上下および表裏を判別するための判別部が設けられている請求項１ないし４のいずれか１項に記載の腰部固定帯。
【発明の詳細な説明】
【０００１】
【発明の属する技術分野】
本発明は、人体の腰背部から腰腹部にかけて巻回される腰部固定帯に関し、さらに詳しく言えば、剛性を持ちつつ、適度に柔軟性を備えた補強片を備えてなる腰部固定帯に関する。
【０００２】
【従来の技術】
腰椎捻挫などの腰部疾患を患った場合、患部である腰部を固定する腰部固定帯がしばしば用いられる。腰部固定帯とは、例えば特許文献１に示すように、人体の腰背部から腰腹部にかけて体幹軸を中心に巻回される帯状ベルトであり、帯状ベルトで腰腹部を締め付けることで、腹腔内圧を高めて腰部を圧迫固定するようにしたものである。
【０００３】
ところで、この種の腰部固定帯は、腰腹部を締め付けるために一部に伸縮性を有する布製基材からなるものが一般的である。しかしながら、布製基材の場合はベルト自体が腰まわりの形に沿って変形しやすく、布地の変形によって腹腔内圧が吸収されてしまう。
【０００４】
そこで、この種の腰部固定帯の多くには、腰背部側に姿勢矯正用の補強片を所定間隔で複数配置している。補強片としては、アルミなどの金属板や硬質な合成樹脂板などがよく用いられており、これにより、補強片がリブとして機能することで、腹腔内圧をベルト面全体で受けることが可能となり、圧迫力の低下が防止される。
【０００５】
【特許文献１】
特開２００２−３４５８６６号公報
【０００６】
【発明が解決しようとする課題】
しかしながら、上述した補強片にも、次のような解決すべき課題が未だに残されていた。すなわち、補強片が金属製の場合は、補強片が強靱であるが故に、患者に与える不快感が大きくなるなどの問題があった。また、補強片が基材を傷つけないようにするため、端面に生じたバリなどを丁寧に取り除く必要があった。
特に、鉄製の場合は、錆など発生するおそれがあった。
【０００７】
上述した問題を解決するには、補強片を合成樹脂で構成すればよい。これによれば、身体の変形に対しての追従性はよくなるが、今度は支持力（保持力）に乏しくなる。したがって、腰部を確実に固定するためには、結局、板厚を厚くする必要があり、患者に与える不快感が大きくなる。
【０００８】
そこで、本発明は、上述した課題を解決するためになされたものであって、その目的は、より身体に対する追従性がよく、かつ、確実に固定することができる補強片を備えた腰部固定帯を提供することにある。
【０００９】
【課題を解決するための手段】
上述した目的を達成するため、本発明は、人体の腰背部から腰腹部にかけて体幹軸を中心に巻回される帯状ベルトからなり、腰背部側に矩形状の補強片を備えている腰部固定帯において、上記補強片は合成樹脂からなり、上記体幹軸に沿った断面形状が腰背面に沿ってＳ字状に形成されているとともに、その板厚が中央から上記体幹軸方向の両端に向かって漸次減少するように形成されていることを特徴としている。
【００１０】
これによれば、補強片が腰に沿ってＳ字状に形成され、かつ、その板厚が両端に向かって減少しているため、身体への追従性が両端に向かうにつれてよくなるとともに、患部を保持する中央部分の保持力を確保することができる。
【００１１】
より好ましい態様として、上記補強片の背面側には、補強リブが突設されていることが好ましい。これによれば、全体の肉厚を厚くすることなく、保持力が必要な部分にのみ補強リブを設けることにより、効果的に補強度を上げることができる。
【００１２】
上記補強リブは、上記補強片の変曲点を中心とする位置に設けられていることが好ましい。これによれば、最も大きな変形力が加わる変曲点に補強リブを設けることで、中央部分の剛性が確実にアップする。補強リブの好ましい形状としては、菱形の錐状（ピラミッド状）に突設されていることが最も好ましいが、これ以外に半球状や線状などであってもよい。
【００１３】
上述した補強リブは、背面側、すなわち、背中から外側に向かって突設するように腰部固定帯内に配置されることが好ましく、もし逆に配置した場合には、補強リブが人体を圧迫して不快感を覚える。そこで、上記補強片には、上下および表裏を判別するための判別部が設けられていることが好ましい。判別部としては、上下判別用の矢印表示や表裏判別用の刻字などがある。
【００１４】
【発明の実施の形態】
次に、本発明の実施形態について図面を参照しながら説明する。図１は、本発明の一実施形態に係る腰部固定帯の正面図である。なお、図１に示す腰部固定体１は、紙面手前側が人体に対する接触面であり、紙面裏側が装着時に表面に露出する露出面である。
【００１５】
この腰部固定帯１は、腸骨の中心軸線Ｌ２に沿って平行に延びる帯状体からなり、腰背部のほぼ全面を覆うよう矩形状に形成された背当て部２と、同背当て部２の両端から一体的に延設された伸縮部３１、３２と、各伸縮部３１、３２の自由端側から延設されたベルト部４１、４２とを備えている。
【００１６】
この例において、腰部固定帯１は、全体の幅（図１では上下長さ）が背当て部２からベルト部４１，４２の両端側に向かうにつれて徐々に減少するようになっているが、単なる帯状であってもよく、その形状は任意である。
【００１７】
本発明において、背当て部２、伸縮部３１，３２およびベルト部４１，４２の構成は、少なくとも腰部固定帯１を構成するにあたって必要最低限のものが設けられていればよく、その具体的な構成（材質や形状など）は任意であってよく、以下において、その説明は省略する。
【００１８】
一方のベルト部４１（図１向かって左側）の先端側には、一方の係止手段としてのフック面ファスナー４１ａが設けられている。これに対して、他方のベルト４２（図１向かって右側）には、フック面ファスナー４１ａの対向面としてのループ面ファスナ４２ａが設けられている。
【００１９】
これら係止手段の構成も任意であってよく、少なくとも腰部固定帯１の両端を固定することが可能なものであれば、その形状および仕様は任意に設定可能である。
【００２０】
本発明においての要部は、背当て部２に設けられた補強片５にある。すなわち、背当て部２には、補強片５が所定の間隔をもって複数箇所、この実施形態では４カ所に設けられている。この実施形態において、補強片５は、体幹軸Ｌ１を挟んで左右に２枚ずつ設けられており、それらが互いに平行に配置されている。
【００２１】
図２（ａ）および（ｂ）に示すように、補強片５は、体幹軸Ｌ１方向に沿って上下に延びる矩形状を有する合成樹脂製の板体からなり、断面が腰背面に沿ってＳ字状に形成されている。
【００２２】
この実施形態において、補強片５は、長さ１８０ｍｍ×幅１５ｍｍのＰＣ（ポリカーボネート）樹脂からなる成型物からなるが、これ以外の材料であってもよい。
【００２３】
補強片５は、図２（ｂ）に示すように、中央から体幹軸Ｌ１方向の両端に向かうにつれて、その板厚が漸次減少するように形成されている。この実施形態において、補強片５の板厚は、中央部が２．５ｍｍであり、両端部側に行くにしたがって板厚が徐々に薄くなり、最終的に両端部が１．０ｍｍとされている。
【００２４】
補強片５はＳ字状に形成されているが、実際には、体幹軸Ｌ１と腸骨の中心軸Ｌ２との交点を原点とする中心部が、３次曲線の変曲点となるように描かれた基準線Ｌ３を基準に形成されている。
【００２５】
この実施形態において、補強片５の変曲点は、補強片の５の中央よりも若干上側に配置されているが、変曲点の位置は、腰部固定帯１の仕様に応じて任意に変更可能である。
【００２６】
補強片５の背面側（図２（ｂ）では右側）には、補強リブ６が突設されている。補強リブ６は、補強片５の変曲点を中心とする位置に設けられており、この実施形態では、菱形の錐状（ピラミッド状）に突設されている。
【００２７】
図３を併せて参照して、この例において、補強リブ６は、高さが０．５ｍｍで、幅７．５ｍｍとされた四角錐状に形成されているが、これ以外に丸形、楕円や四角形状、または筋状であってもよく、その形状は任意である。ただし、補強リブ６と補強片５の接合界面をなじむように取り付けることが好ましい。
【００２８】
補強片５にはさらに、補強片５を背当て部２に組み込む際に、表裏および上下を判別するための判別部７が設けられている。判別部７は、補強片５の上下を判別するための矢印マーク７１と、表裏を判別するための刻字部７２とからなり、補強片５の表面に一体的に形成されている。
【００２９】
この実施形態において、矢印マーク７１は、矢印記号からなるが、これ以外に文字やその他の記号など表示してもよい。また、刻字部７２は、表面側を「ＯＵＴ」と表示してあり、図示しない裏面側には「ＩＮ」と刻字されている。なお、刻字部７２の刻字方法も任意である。
【００３０】
これによれば、補強リブ６が、背面側、すなわち、背中から外側に向かって突設するように確実に腰部固定帯１内に配置されため、万が一、逆に配置されて、補強リブ６が人体を圧迫して不快感を覚えることを防止できる。
【００３１】
次に、この腰部固定具１の使用手順の一例を図４を参照して説明する。まず、図１に示すような展開状態において、使用者は本発明の腰部固定具１を手に取り、腰背部に背立て部２が当たるように配置する。
【００３２】
このとき、腸骨の中心軸Ｌ２に沿って腰部固定帯１の中心軸が合うように配置することで、図４に示すように、補強片４が腰背面に沿って無理なく当接することができる。
【００３３】
この状態において、使用者はベルト部４１，４２の両端を手で把持し、そのまま、両端を引っ張りながら体幹軸Ｌ１を中心に腰腹部側に巻き付けてゆき、両端の面ファスナー４１ａ、４１ｂ同士を係止させることで、装着が終了する。
【００３４】
これによれば、ベルト部４１，４２の締め付けによって発生した腹腔内圧によって、腰背部側が確実に圧迫固定される。このとき、背当て部２に設けられた補強片５は、中央部分での剛性が高められていることにより、より確実に腰部を保持する。
【００３５】
また、補強片５の両端側の剛性が弱められていることで、日常的生活動作（ＡＤＬ）などによる腰の動きに補強片５が追従するため、使用による不快感などを低減することができる。
【００３６】
この実施形態において、補強片５は、背当て部２にのみ設けられているが、例えば、伸縮部３１，３１やベルト部４１，４２などに設けてもよい。さらに、すべての補強片５を互いに平行に配置する必要はなく、装着時の立体構造を考慮して、体幹軸Ｌ１に対して傾けて設けるなどしてもよく、本発明の補強片５の基本的構造を有するものであれば、これら各種変形例も本発明に含まれる。
【００３７】
【発明の効果】
以上説明したように、本発明によれば、人体の腰背部から腰腹部にかけて巻回される腰部固定帯に用いられる補強片を体幹軸方向に沿って断面Ｓ字状に形成し、さらに、中央から体幹軸方向の両端に向かって板厚が漸次減少するように形成したことにより、腰部に対する保持力を低減させることなく、日常動作などによる腰の変形に対しての追従性をよくすることができる。
【図面の簡単な説明】
【図１】本発明の一実施形態に係る腰部固定帯の正面図。
【図２】上記腰部固定帯の補強片の正面図および側面図。
【図３】上記補強片のＡ−Ａ線断面図。
【図４】上記腰部固定帯を装着した状態を模式的に示す模式図。
【符号の説明】
１  腰部固定帯
２  背当て部
３１，３２  伸縮部
４１，４２  ベルト部
４１ａ  フック面ファスナー
４２ａ  ループ面ファスナー
５  補強片
６  補強リブ
７  判別部
Ｌ１  体幹軸
Ｌ２  腸骨の中心軸
【図１】
2004329260.tif 000003
【図２】
2004329260.tif 000004
【図３】
2004329260.tif 000005
【図４】
2004329260.tif 000006